(57)【要約】  本発明は、サービングセルの支援管理方法、ネットワークデバイス、端末デバイス及びコンピュータ記憶媒体を開示し、前記方法は、端末デバイスから報告される支援情報を受信することと、前記支援情報に基づいて、前記端末デバイスに対してセル及び/又はビームの調整を行うようにトリガーすることとを含む。
2021502011.tif 000002
【特許請求の範囲】
【請求項１】
ネットワークデバイスに応用されるサービングセルの支援管理方法であって、
端末デバイスから報告される支援情報を受信することと、
前記支援情報に基づいて、前記端末デバイスに対してセル及び/又はビームの調整を行うようにトリガーすることとを含む
ことを特徴とするサービングセルの支援管理方法。
【請求項２】
前記端末デバイスに対してセル及び/又はビームの調整を行うようにトリガーすることは、
前記端末デバイスに対してセル及び/又はビームの変更を行うようにトリガーすることと、
又は、
前記端末デバイスに対してセル及び/又はビームの追加を行うようにトリガーすることと、を含む
ことを特徴とする請求項１に記載のサービングセルの支援管理方法。
【請求項３】
前記方法は、さらに、
支援情報に基づいて前記端末デバイスのセル及び/又はビームの変更の目標セルを取得することを含み、
前記セル及び/又はビームの変更の目標セルは、支援セルグループ内のセルとなる可能性があるセルであり、前記支援情報は、少なくとも１つのセルの関連情報である
ことを特徴とする請求項１に記載のサービングセルの支援管理方法。
【請求項４】
前記セルの関連情報は、
セル識別子、
上り送信電力情報、
前記サービングセルとの内部干渉があるか否か、
セル優先度の使用指示のうちの少なくとも１つを含む
ことを特徴とする請求項３に記載のサービングセルの支援管理方法。
【請求項５】
前記上り送信電力情報は、復調閾値を満たす端末デバイスの最大上り送信電力である
ことを特徴とする請求項４に記載のサービングセルの支援管理方法。
【請求項６】
端末デバイスに応用されるサービングセルの支援管理方法であって、
現在サービングセルに基づいて前記端末の支援情報を形成する目標セルを取得し、目標セルの関連情報を取得して、前記支援情報を形成することを含む
ことを特徴とするサービングセルの支援管理方法。
【請求項７】
前記方法は、さらに、
ネットワーク側に支援情報を報告して、前記端末デバイスに対してセル及び/又はビームの調整を行うようにトリガーすることを含む
ことを特徴とする請求項６に記載のサービングセルの支援管理方法。
【請求項８】
前記支援情報を形成する目標セルに対応する関連情報は、
セル識別子、
上り送信電力情報、
前記サービングセルとの内部干渉があるか否か、
セル優先度の使用指示のうちの少なくとも１つを含む
ことを特徴とする請求項６に記載のサービングセルの支援管理方法。
【請求項９】
前記上り送信電力情報は、復調閾値を満たすＵＥの最大上り送信電力である
ことを特徴とする請求項８に記載のサービングセルの支援管理方法。
【請求項１０】
第１の通信ユニットと第１の処理ユニットとを備えるネットワークデバイスであって、
前記第１の通信ユニットは、端末デバイスから報告される支援情報を受信するように構成され、
前記第１の処理ユニットは、前記支援情報に基づいて、前記端末デバイスに対してセル及び/又はビームの調整を行うようにトリガーするように構成される
ことを特徴とするネットワークデバイス。
【請求項１１】
前記第１の処理ユニットは、前記端末デバイスに対してセル及び/又はビームの変更を行うようにトリガーし、
又は、
前記端末デバイスに対してセル及び/又はビームの追加を行うようにトリガーするように構成される
ことを特徴とする請求項１０に記載のネットワークデバイス。
【請求項１２】
前記第１の処理ユニットは、支援情報に基づいて前記端末デバイスのセル及び/又はビームの変更の目標セルを取得するように構成され、
前記セル及び/又はビームの変更の目標セルは、支援セルグループ内のセルとなる可能性があるセルであり、前記支援情報は、少なくとも１つのセルの関連情報である
ことを特徴とする請求項１０に記載のネットワークデバイス。
【請求項１３】
前記セルの関連情報は、
セル識別子、
上り送信電力情報、
前記サービングセルとの内部干渉があるか否か、
セル優先度の使用指示のうちの少なくとも１つを含む
ことを特徴とする請求項１２に記載のネットワークデバイス。
【請求項１４】
前記上り送信電力情報は、復調閾値を満たす端末デバイスの最大上り送信電力である
ことを特徴とする請求項１３に記載のネットワークデバイス。
【請求項１５】
第２の処理ユニットを備える端末デバイスであって、
前記第２の処理ユニットは、現在サービングセルに基づいて前記端末の支援情報を形成する目標セルを取得し、目標セルの関連情報を取得して、前記支援情報を形成するように構成される
ことを特徴とする端末デバイス。
【請求項１６】
前記端末デバイスは、さらに、第２の通信ユニットを含み、
前記第２の通信ユニットは、ネットワーク側に支援情報を報告して、前記端末デバイスに対してセル及び/又はビームの調整を行うようにトリガーするように構成される
ことを特徴とする請求項１５に記載の端末デバイス。
【請求項１７】
前記支援情報を形成する目標セルに対応する関連情報は、
セル識別子、
上り送信電力情報、
前記サービングセルとの内部干渉があるか否か、
セル優先度の使用指示のうちの少なくとも１つを含む
ことを特徴とする請求項１５に記載の端末デバイス。
【請求項１８】
前記上り送信電力情報は、復調閾値を満たす端末デバイスの最大上り送信電力である
ことを特徴とする請求項１７に記載の端末デバイス。
【請求項１９】
プロセッサと、前記プロセッサで実行可能なコンピュータプログラムを格納するメモリとを備えるネットワークデバイスであって、
前記プロセッサは、前記コンピュータプログラムを実行することによって、請求項１〜５のいずれか１項に記載の方法のステップを実行するように構成されている
ことを特徴とするネットワークデバイス。
【請求項２０】
プロセッサと、前記プロセッサで実行可能なコンピュータプログラムを格納するメモリとを備える端末デバイスであって、
前記プロセッサは、前記コンピュータプログラムを実行することによって、請求項６〜９のいずれか１項に記載の方法のステップを実行するように構成されている
ことを特徴とする端末デバイス。
【請求項２１】
請求項１〜９のいずれか１項に記載の方法ステップを実行するコンピュータ実行可能命令を記憶する
ことを特徴とするコンピュータ記憶媒体。
【発明の詳細な説明】
【技術分野】
【０００１】
本発明は、情報処理技術分野に関し、特に、サービングセルの支援管理方法、ネットワークデバイス、端末デバイス及びコンピュータ記憶媒体に関する。
【背景技術】
【０００２】
現在、３ＧＰＰ国際標準団体は、人々が速度、遅延、高速移動性、エネルギー効率に対する追求、及び将来の生活におけるサービスの多様性、複雑性に伴い、５Ｇを開発している。ＬＴＥ−ＮＲ ｉｎｔｅｒｗｏｒｋｉｎｇを５Ｇでサポートするために、異なるＲＡＴ間のｂａｎｄの組み合わせでＬＴＥ−ＮＲ ＤＣ伝送データをサポートし、システムスループットを向上させる。１つの端末で異なる周波数帯域の２以上のキャリアで同時に動作させると、これらのキャリアの上り信号があるキャリアの下り受信信号に干渉を与える可能性がある。
【発明の概要】
【０００３】
上記の課題を解決するために、本発明の実施例は、サービングセルの支援管理方法、ネットワークデバイス、端末デバイス及びコンピュータ記憶媒体を提供する。
【０００４】
本発明の実施例におけるサービングセルの支援管理方法は、ネットワークデバイスに応用され、
端末デバイスから報告される支援情報を受信することと、
前記支援情報に基づいて、前記端末デバイスに対してセル及び/又はビームの調整を行うようにトリガーすることとを含む。
【０００５】
上記の技術案において、前記端末デバイスに対してセル及び/又はビームの調整を行うようにトリガーすることは、
前記端末デバイスに対してセル及び/又はビームの変更を行うようにトリガーすることと、
又は、
前記端末デバイスに対してセル及び/又はビームの追加を行うようにトリガーすることと、を含む。
【０００６】
上記の技術案において、前記方法は、さらに、
支援情報に基づいて前記端末デバイスのセル及び/又はビームの変更の目標セルを取得することを含み、
ここで、前記セル及び/又はビームの変更の目標セルは、支援セルグループ内のセルとなる可能性があるセルであり、前記支援情報は、少なくとも１つのセルの関連情報である。
【０００７】
上記の技術案において、前記セルの関連情報は、
セル識別子、
上り送信電力情報、
前記サービングセルとの内部干渉があるか否か、
セル優先度の使用指示のうちの少なくとも１つを含む。
【０００８】
上記の技術案において、前記上り送信電力情報は、復調閾値を満たす端末デバイスの最大上り送信電力である。
【０００９】
本発明の実施例は、サービングセルの支援管理方法を提供し、端末デバイスに応用され、
現在サービングセルに基づいて前記端末の支援情報を形成する目標セルを取得し、目標セルの関連情報を取得し、前記支援情報を形成することを含む。
【００１０】
上記の技術案において、前記方法は、さらに、
ネットワーク側に支援情報を報告して、前記端末デバイスに対してセル及び/又はビームの調整を行うようにトリガーすることを含む。
【００１１】
上記の技術案において、前記支援情報を形成する目標セルに対応する関連情報は、
セル識別子、
上り送信電力情報、
前記サービングセルとの内部干渉があるか否か、
セル優先度の使用指示のうちの少なくとも１つを含む。
【００１２】
上記の技術案において、前記上り送信電力情報は、復調閾値を満たすＵＥの最大上り送信電力である。
【００１３】
本発明の実施例は、また、第１の通信ユニットと第１の処理ユニットを備えるネットワークデバイスを提供し、
第１の通信ユニットは、端末デバイスから報告される支援情報を受信するように構成され、
第１の処理ユニットは、前記支援情報に基づいて、前記端末デバイスに対してセル及び/又はビームの調整を行うようにトリガーするように構成される。
【００１４】
上記の技術案において、前記第１の処理ユニットは、前記端末デバイスに対してセル及び/又はビームの変更を行うようにトリガーし、
又は、
前記端末デバイスに対してセル及び/又はビームの追加を行うようにトリガーするように構成される。
【００１５】
上記の技術案において、前記第１の処理ユニットは、支援情報に基づいて前記端末デバイスのセル及び/又はビームの変更の目標セルを取得するように構成され、
ここで、前記セル及び/又はビームの変更の目標セルは、支援セルグループ内のセルとなる可能性があるセルであり、前記支援情報は、少なくとも１つのセルの関連情報である。
【００１６】
上記の技術案において、前記セルの関連情報は、
セル識別子、
上り送信電力情報、
前記サービングセルとの内部干渉があるか否か、
セル優先度の使用指示のうちの少なくとも１つを含む。
【００１７】
上記の技術案において、前記上り送信電力情報は、復調閾値を満たす端末デバイスの最大上り送信電力である。
【００１８】
本発明の実施例は、また、第２の処理ユニットを備える端末デバイスを提供し、
第２の処理ユニットは、現在サービングセルに基づいて前記端末の支援情報を形成する目標セルを取得し、目標セルの関連情報を取得して、前記支援情報を形成するように構成される。
【００１９】
上記の技術案において、前記端末デバイスは、さらに、第２の通信ユニットを含み
第２の通信ユニットは、ネットワーク側に支援情報を報告して、前記端末デバイスに対してセル及び/又はビームの調整を行うようにトリガーするように構成される。
【００２０】
上記の技術案において、前記支援情報を形成する目標セルに対応する関連情報は、
セル識別子、
上り送信電力情報、
前記サービングセルとの内部干渉があるか否か、
セル優先度の使用指示のうちの少なくとも１つを含む。
【００２１】
上記の技術案において、前記上り送信電力情報は、復調閾値を満たすＵＥの最大上り送信電力である。
【００２２】
本発明の実施例は、プロセッサと、前記プロセッサで実行可能なコンピュータプログラムを格納するメモリとを備えるネットワークデバイスを提供し、
ここで、前記プロセッサは、前記コンピュータプログラムを実行することによって、上記の方法のステップを実行するように構成されている。
【００２３】
本発明の実施例は、プロセッサと、前記プロセッサで実行可能なコンピュータプログラムを格納するメモリとを備える端末デバイスを提供し、
ここで、前記プロセッサは、前記コンピュータプログラムを実行することによって、上記の方法のステップを実行するように構成されている
本発明の実施例は、上記の方法ステップを実行するコンピュータ実行可能命令を記憶するコンピュータ記憶媒体を提供する。
【００２４】
本発明の実施例によれば、端末デバイスから支援情報をネットワーク側に通知することによって、ネットワーク側が当該支援情報に基づいて、適切なサービングセル又はビームを端末デバイスに構成し、支援情報を端末デバイスのトリガーとして、このトリガー信号に基づいてセルおよび/またはビームを選択することができ、これにより、端末デバイスに対する干渉の低減または回避を実現し、データ伝送の信頼性および端末デバイスのスループットを向上させる。
【図面の簡単な説明】
【００２５】
【図１】本発明の実施例におけるサービングセルの支援管理方法のフローチャート一である。
【図２】本発明の実施例におけるサービングセルの支援管理方法のフローチャート二である。
【図３】本発明の実施例におけるネットワークデバイスの構成図である。
【図４】本発明の実施例における端末デバイスの構成図である。
【図５】本発明の実施例におけるハードウェアアーキテクチャの概略図である。
【発明を実施するための形態】
【００２６】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００２７】
実施例一
本発明の実施例は、サービングセルの支援管理方法を提供し、ネットワークデバイスに応用され、図１に示すように、ステップ１０１及びステップ１０２を含み、
ステップ１０１において、端末デバイスから報告される支援情報を受信し、
ステップ１０２において、前記支援情報に基づいて、前記端末デバイスに対してセル及び/又はビームの調整を行うようにトリガーする。
【００２８】
本実施例は、ＥＮ−ＤＣ(ＬＴＥ ＮＲ ｄｕａｌ ｃｏｎｎｅｃｔｉｖｉｔｙ)シーンに適用でき、あるセル/ビームによって要求されるＵＥの上り送信電力が大きく、あるセル/ビームによって要求されるＵＥの上り送信電力が小さいので、ＵＥは、下り信号の受信状況から、上り送信電力が小さいことが要求されるセル又はビームを推定し、ネットワークに報告することができる。ネットワーク側は、ＵＥの支援情報の報告に対して、ＵＥの要求に基づいてＳＣＧセル/ビーム変更またはＳＣＧセル/ビーム追加をトリガすることができる。
【００２９】
ここで、上り送信電力の推定方法としては、下り受信電力の状況に基づいて上り送信電力を決定するという方式を利用することができる。もちろん、他の方式も採用できるが、これに限定されるものではない。
【００３０】
前記方法は、さらに、支援情報に基づいて前記端末デバイスのセル及び/又はビームの変更の目標セルを取得することを含み、ここで、前記セル及び/又はビームの変更の目標セルは、支援セルグループ内のセルとなる可能性があるセルであり、前記支援情報は、少なくとも１つのセルの関連情報であり、前記少なくとも１つのセルは、一連のセルの関連情報であっても良い。
【００３１】
前記セルの関連情報は、
セル識別子、
上り送信電力情報（前記上り送信電力情報は、復調閾値を満たす端末デバイスの最大上り送信電力である）、
前記サービングセルとの内部干渉があるか否か、
セル優先度の使用指示のうちの少なくとも１つを含む。
【００３２】
上記の説明に基づいて、異なるシーンについて、以下に具体的に説明する。
【００３３】
第１として、ＮＲ同周波数で、異周波数で構成する場合：
端末デバイスは、ＳＣＧセルとなり得る全ての隣接セルについて、上り送信電力が小さいセル及び/又はビームが干渉があるか否かを推定し、
そして、セル及び／又はビームが干渉があるか否かに基づいて、対応するセル優先度の使用指示を設定し、ネットワーク側に優先度の使用指示を報告する。
【００３４】
これにより、ネットワーク側では、端末デバイスから報告された一連のセルの関連情報に基づいて、ＳＣＧ内のどのＮＲセルを採用するかを決定することができる。
【００３５】
第２として、ＮＲ異なる周波数で構成する場合：
現在のＮＲセルとＬＴＥセルとの間に自己干渉が存在する場合、ＵＥは、ＳＣＧセルとなり得る全てのＮＲ異なる周波数のセルを報告してもよい。
【００３６】
さらに、前述の方法に加えて、ネットワーク側は、支援情報に基づいてセルの調整処理を行うことができ、具体的には、前記端末デバイスに対してセル及び/又はビームの調整を行うようにトリガーすることは、
前記端末デバイスに対してセル及び/又はビームの変更を行うようにトリガーすることと、
又は、前記端末デバイスに対してセル及び/又はビームの追加を行うようにトリガーすることと、を含む。
【００３７】
すなわち、ネットワーク側は、ＵＥから報告された支援情報に基づいて、その後にＳＮ追加や変更を行う際に、ＵＥが報告した支援情報を考慮して、ＳＣＧにおけるＮＲのセルを決定してもよい。
【００３８】
例えば、ＵＥ (すなわち端末)が報告するセルまたはビームに対応する優先度を考慮し、優先度が高い場合、そのセルまたはビームをＳＣＧのＮＲセルとして優先的に選択することができる。もちろん、他の選択方式も採用可能であり、例えば、内部干渉の状況に基づいて優先度を組み合わせることができ、すなわち、内部干渉が小さく、優先度が高いものを優先的に選択し、本実施例では網羅はしない。
【００３９】
実施例二
本発明の実施例は、サービングセルの支援管理方法を提供し、端末デバイスに応用され、現在サービングセルに基づいて前記端末の支援情報を形成する目標セルを取得し、目標セルの関連情報を取得し、前記支援情報を形成することを含む。
【００４０】
具体的に、図２に示すように、ステップ２０１及びステップ２０２を含み、
ステップ２０１において、現在サービングセルに基づいて前記端末の支援情報を形成する目標セルを取得し、目標セルの関連情報を取得し、前記支援情報を形成し、
ステップ２０２において、ネットワーク側に支援情報を報告して、前記端末デバイスに対してセル及び/又はビームの調整を行うようにトリガーする。
【００４１】
本実施例は、ＥＮ−ＤＣ(ＬＴＥ ＮＲ ｄｕａｌ ｃｏｎｎｅｃｔｉｖｉｔｙ)シーンに適用でき、あるセル/ビームによって要求されるＵＥの上り送信電力が大きく、あるセル/ビームによって要求されるＵＥの上り送信電力が小さいので、ＵＥは、下り信号の受信状況から、上り送信電力が小さいことが要求されるセル又はビームを推定し、ネットワークに報告することができる。ネットワーク側は、ＵＥの支援情報の報告に対して、ＵＥの要求に基づいてＳＣＧセル/ビーム変更またはＳＣＧセル/ビーム追加をトリガすることができる。
【００４２】
ここで、上り送信電力の推定方法としては、下り受信電力の状況に基づいて上り送信電力を決定するという方式を利用することができる。もちろん、他の方式も採用できるが、これに限定されるものではない。
【００４３】
前記方法は、さらに、支援情報に基づいて前記端末デバイスのセル及び/又はビームの変更の目標セルを取得することを含み、ここで、前記セル及び/又はビームの変更の目標セルは、支援セルグループ内のセルとなる可能性があるセルであり、前記支援情報は、少なくとも１つのセルの関連情報であり、前記少なくとも１つのセルは、一連のセルの関連情報であっても良い。
【００４４】
前記セルの関連情報は、
セル識別子、
上り送信電力情報（前記上り送信電力情報は、復調閾値を満たす端末デバイスの最大上り送信電力である）、
前記サービングセルとの内部干渉があるか否か、
セル優先度の使用指示のうちの少なくとも１つを含む。
【００４５】
上記の説明に基づいて、異なるシーンについて、以下に具体的に説明する。
【００４６】
第１として、ＮＲ同周波数で、異周波数で構成する場合：
端末デバイスは、ＳＣＧセルとなり得る全ての隣接セルについて、上り送信電力が小さいセル及び/又はビームに干渉があるか否かを推定し、
そして、セル及び／又はビームに干渉があるか否かに基づいて、対応するセル優先度の使用指示を設定し、ネットワーク側に優先度の使用指示を報告する。
【００４７】
これにより、ネットワーク側では、端末デバイスから報告された一連のセルの関連情報に基づいて、ＳＣＧ内のどのＮＲセルを採用するかを決定することができる。
【００４８】
第２として、ＮＲ異なる周波数で構成する場合：
現在のＮＲセルとＬＴＥセルとの間に自己干渉が存在する場合、ＵＥは、ＳＣＧセルとなり得る全てのＮＲ異なる周波数のセルを報告してもよい。
【００４９】
さらに、前述の方法に加えて、ネットワーク側は、支援情報に基づいてセルの調整処理を行うことができ、具体的には、前記端末デバイスに対してセル及び/又はビームの調整を行うようにトリガーすることは、
前記端末デバイスに対してセル及び/又はビームの変更を行うようにトリガーすることと、
又は、前記端末デバイスに対してセル及び/又はビームの追加を行うようにトリガーすることと、を含む。
【００５０】
すなわち、ネットワーク側は、ＵＥから報告された支援情報に基づいて、その後にＳＮ追加や変更を行う際に、ＵＥが報告した支援情報を考慮して、ＳＣＧにおけるＮＲのセルを決定してもよい。
【００５１】
例えば、ＵＥ (すなわち端末)が報告するセルまたはビームに対応する優先度を考慮し、優先度が高い場合、そのセルまたはビームをＳＣＧのＮＲセルとして優先的に選択することができる。もちろん、他の選択方式も採用可能であり、例えば、内部干渉の状況に基づいて優先度を組み合わせることができ、すなわち、内部干渉が小さく、優先度が高いものを優先的に選択し、本実施例では網羅はしない。
【００５２】
実施例三
本発明の実施例は、ネットワークデバイスを提供し、図３に示すように、第１の通信ユニット３１と第１の処理ユニット３２を含み、
第１の通信ユニット３１は、端末デバイスから報告される支援情報を受信するように構成され、
第１の処理ユニット３２は、前記支援情報に基づいて、前記端末デバイスに対してセル及び/又はビームの調整を行うようにトリガーするように構成される。
【００５３】
本実施例は、ＥＮ−ＤＣ(ＬＴＥ ＮＲ ｄｕａｌ ｃｏｎｎｅｃｔｉｖｉｔｙ)シーンに適用でき、あるセル/ビームによって要求されるＵＥの上り送信電力が大きく、あるセル/ビームによって要求されるＵＥの上り送信電力が小さいので、ＵＥは、下り信号の受信状況から、上り送信電力が小さいことが要求されるセル又はビームを推定し、ネットワークに報告することができる。ネットワーク側は、ＵＥの支援情報の報告に対して、ＵＥの要求に基づいてＳＣＧセル/ビーム変更またはＳＣＧセル/ビーム追加をトリガすることができる。
【００５４】
ここで、上り送信電力の推定方法としては、下り受信電力の状況に基づいて上り送信電力を決定するという方式を利用することができる。もちろん、他の方式も採用できるが、これに限定されるものではない。
【００５５】
前記第１の処理ユニット３２は、支援情報に基づいて前記端末デバイスのセル及び/又はビームの変更の目標セルを取得するように構成され、ここで、前記セル及び/又はビームの変更の目標セルは、支援セルグループ内のセルとなる可能性があるセルであり、前記支援情報は、少なくとも１つのセルの関連情報であり、前記少なくとも１つのセルは、一連のセルの関連情報であっても良い。
【００５６】
前記セルの関連情報は、
セル識別子、
上り送信電力情報（前記上り送信電力情報は、復調閾値を満たす端末デバイスの最大上り送信電力である）、
前記サービングセルとの内部干渉があるか否か、
セル優先度の使用指示のうちの少なくとも１つを含む。
【００５７】
上記の説明に基づいて、異なるシーンについて、以下に具体的に説明する。
【００５８】
第１として、ＮＲ同周波数で、異周波数で構成する場合：
端末デバイスは、ＳＣＧセルとなり得る全ての隣接セルについて、上り送信電力が小さいセル及び/又はビームに干渉があるか否かを推定し、
そして、セル及び／又はビームに干渉があるか否かに基づいて、対応するセル優先度の使用指示を設定し、ネットワーク側に優先度の使用指示を報告する。
【００５９】
これにより、ネットワーク側では、端末デバイスから報告された一連のセルの関連情報に基づいて、ＳＣＧ内のどのＮＲセルを採用するかを決定することができる。
【００６０】
第２として、ＮＲ異なる周波数で構成する場合：
現在のＮＲセルとＬＴＥセルとの間に自己干渉が存在する場合、ＵＥは、ＳＣＧセルとなり得る全てのＮＲ異なる周波数のセルを報告してもよい。
【００６１】
さらに、前述の方法に加えて、ネットワーク側は、支援情報に基づいてセルの調整処理を行うことができ、具体的には、前記端末デバイスに対してセル及び/又はビームの調整を行うようにトリガーすることは、
前記端末デバイスに対してセル及び/又はビームの変更を行うようにトリガーすることと、
又は、前記端末デバイスに対してセル及び/又はビームの追加を行うようにトリガーすることと、を含む。
【００６２】
すなわち、ネットワーク側は、ＵＥから報告された支援情報に基づいて、その後にＳＮ追加や変更を行う際に、ＵＥが報告した支援情報を考慮して、ＳＣＧにおけるＮＲのセルを決定してもよい。
【００６３】
例えば、ＵＥ (すなわち端末)が報告するセルまたはビームに対応する優先度を考慮し、優先度が高い場合、そのセルまたはビームをＳＣＧのＮＲセルとして優先的に選択することができる。もちろん、他の選択方式も採用可能であり、例えば、内部干渉の状況に基づいて優先度を組み合わせることができ、すなわち、内部干渉が小さく、優先度が高いものを優先的に選択し、本実施例では網羅はしない。
【００６４】
実施例四
本発明の実施例は、端末デバイスを提供し、図４に示すように、第２の処理ユニット４１を含み、
第２の処理ユニット４１は、現在サービングセルに基づいて前記端末の支援情報を形成する目標セルを取得し、目標セルの関連情報を取得し、前記支援情報を形成するように構成される。
【００６５】
前記端末デバイスは、さらに、第２の通信ユニット４２を含み、
第２の通信ユニット４２は、ネットワーク側に支援情報を報告して、前記端末デバイスに対してセル及び/又はビームの調整を行うようにトリガーするように構成される。
【００６６】
本実施例は、ＥＮ−ＤＣ(ＬＴＥ ＮＲ ｄｕａｌ ｃｏｎｎｅｃｔｉｖｉｔｙ)シーンに適用でき、あるセル/ビームによって要求されるＵＥの上り送信電力が大きく、あるセル/ビームによって要求されるＵＥの上り送信電力が小さいので、ＵＥは、下り信号の受信状況から、上り送信電力が小さいことが要求されるセル又はビームを推定し、ネットワークに報告することができる。ネットワーク側は、ＵＥの支援情報の報告に対して、ＵＥの要求に基づいてＳＣＧセル/ビーム変更またはＳＣＧセル/ビーム追加をトリガすることができる。
【００６７】
ここで、上り送信電力の推定方法としては、下り受信電力の状況に基づいて上り送信電力を決定するという方式を利用することができる。もちろん、他の方式も採用できるが、これに限定されるものではない。
【００６８】
前記方法は、さらに、支援情報に基づいて前記端末デバイスのセル及び/又はビームの変更の目標セルを取得することを含み、ここで、前記セル及び/又はビームの変更の目標セルは、支援セルグループ内のセルとなる可能性があるセルであり、前記支援情報は、少なくとも１つのセルの関連情報であり、前記少なくとも１つのセルは、一連のセルの関連情報であっても良い。
【００６９】
前記セルの関連情報は、
セル識別子、
上り送信電力情報（前記上り送信電力情報は、復調閾値を満たす端末デバイスの最大上り送信電力である）、
前記サービングセルとの内部干渉があるか否か、
セル優先度の使用指示のうちの少なくとも１つを含む。
【００７０】
上記の説明に基づいて、異なるシーンについて、以下に具体的に説明する。
【００７１】
第１として、ＮＲ同周波数で、異周波数で構成する場合：
端末デバイスは、ＳＣＧセルとなり得る全ての隣接セルについて、上り送信電力が小さいセル及び/又はビームに干渉があるか否かを推定し、
そして、セル及び／又はビームに干渉があるか否かに基づいて、対応するセル優先度の使用指示を設定し、ネットワーク側に優先度の使用指示を報告する。
【００７２】
これにより、ネットワーク側では、端末デバイスから報告された一連のセルの関連情報に基づいて、ＳＣＧ内のどのＮＲセルを採用するかを決定することができる。
【００７３】
第２として、ＮＲ異なる周波数で構成する場合：
現在のＮＲセルとＬＴＥセルとの間に自己干渉が存在する場合、ＵＥは、ＳＣＧセルとなり得る全てのＮＲ異なる周波数のセルを報告してもよい。
【００７４】
さらに、前述の方法に加えて、ネットワーク側は、支援情報に基づいてセルの調整処理を行うことができ、具体的には、前記端末デバイスに対してセル及び/又はビームの調整を行うようにトリガーすることは、
前記端末デバイスに対してセル及び/又はビームの変更を行うようにトリガーすることと、
又は、前記端末デバイスに対してセル及び/又はビームの追加を行うようにトリガーすることと、を含む。
【００７５】
すなわち、ネットワーク側は、ＵＥから報告された支援情報に基づいて、その後にＳＮ追加や変更を行う際に、ＵＥが報告した支援情報を考慮して、ＳＣＧにおけるＮＲのセルを決定してもよい。
【００７６】
例えば、ＵＥ (すなわち端末)が報告するセルまたはビームに対応する優先度を考慮し、優先度が高い場合、そのセルまたはビームをＳＣＧのＮＲセルとして優先的に選択することができる。もちろん、他の選択方式も採用可能であり、例えば、内部干渉の状況に基づいて優先度を組み合わせることができ、すなわち、内部干渉が小さく、優先度が高いものを優先的に選択し、本実施例では網羅はしない。
【００７７】
本発明の実施例は、図５に示すように、少なくとも１つのプロセッサ５１と、メモリ５２と、少なくとも１つのネットワークインタフェース５３とを備える端末デバイスのハードウェア構成アーキテクチャをさらに提供する。各構成要素は、バスシステム５４によって互いに結合される。バスシステム５４は、これらの構成要素間の接続通信を可能にするために使用されることが理解される。バスシステム５４は、データバスの他に、電源バス、制御バスおよびステータス信号バスを含んでいる。ただし、説明を分かりやすくするために、図５では、各種のバスをバスシステム５４と表記している。
【００７８】
なお、本発明の実施例におけるメモリ５２は、揮発性メモリであっても不揮発性メモリであってもよく、揮発性メモリと不揮発性メモリの両方を含んでもよい。
【００７９】
いくつかの対応において、メモリ５２は、実行可能モジュールもしくはデータ構造、またはそれらのサブセット、またはそれらの拡張セットの要素であるオペレーティングシステム５２１およびアプリケーションプログラム５２２を記憶する。
【００８０】
ここで、前記プロセッサ５１は、実施例一又は実施例二で記載した方法ステップの全てを実行できるように構成され、ここでその説明が省略される。
【００８１】
本発明の実施例は、実行されると、前述の実施例一又は実施例二の方法ステップを実施するコンピュータ実行可能命令を記憶したコンピュータ記憶媒体を提供する。
【００８２】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【００８３】
従って、本発明の実施例は、本発明の実施例によるデータスケジューリング方法を実行するように構成されたコンピュータプログラムを格納するコンピュータ記憶媒体をさらに提供する。
【００８４】
以上、本発明の好ましい実施形態について説明したが、本発明はこれらの実施形態に限定されず、その要旨の範囲内で種々の変形及び変更が可能である。
【図１】
2021502011.tif 000003
【図２】
2021502011.tif 000004
【図３】
2021502011.tif 000005
【図４】
2021502011.tif 000006
【図５】
2021502011.tif 000007
【手続補正書】
【提出日】令和2年9月11日(2020.9.11)
【手続補正１】
【補正対象書類名】明細書
【補正対象項目名】００８３
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
ネットワークデバイスに応用されるサービングセルの支援管理方法であって、
端末デバイスから報告される支援情報を受信することと、
前記支援情報に基づいて、前記端末デバイスに対してセル及び/又はビームの調整を行うようにトリガーすることとを含む
ことを特徴とするサービングセルの支援管理方法。
【請求項２】
前記端末デバイスに対してセル及び/又はビームの調整を行うようにトリガーすることは、
前記端末デバイスに対してセル及び/又はビームの変更を行うようにトリガーすることと、
又は、
前記端末デバイスに対してセル及び/又はビームの追加を行うようにトリガーすることと、を含む
ことを特徴とする請求項１に記載のサービングセルの支援管理方法。
【請求項３】
前記方法は、さらに、
支援情報に基づいて前記端末デバイスのセル及び/又はビームの変更の目標セルを取得することを含み、
前記セル及び/又はビームの変更の目標セルは、支援セルグループ内のセルとなる可能性があるセルであり、前記支援情報は、少なくとも１つのセルの関連情報である
ことを特徴とする請求項１に記載のサービングセルの支援管理方法。
【請求項４】
前記セルの関連情報は、
セル識別子、
上り送信電力情報、
前記サービングセルとの内部干渉があるか否か、
セル優先度の使用指示のうちの少なくとも１つを含む
ことを特徴とする請求項３に記載のサービングセルの支援管理方法。
【請求項５】
前記上り送信電力情報は、復調閾値を満たす端末デバイスの最大上り送信電力である
ことを特徴とする請求項４に記載のサービングセルの支援管理方法。
【請求項６】
端末デバイスに応用されるサービングセルの支援管理方法であって、
現在サービングセルに基づいて前記端末の支援情報を形成する目標セルを取得し、目標セルの関連情報を取得して、前記支援情報を形成することを含む
ことを特徴とするサービングセルの支援管理方法。
【請求項７】
前記方法は、さらに、
ネットワーク側に支援情報を報告して、前記端末デバイスに対してセル及び/又はビームの調整を行うようにトリガーすることを含む
ことを特徴とする請求項６に記載のサービングセルの支援管理方法。
【請求項８】
前記支援情報を形成する目標セルに対応する関連情報は、
セル識別子、
上り送信電力情報、
前記サービングセルとの内部干渉があるか否か、
セル優先度の使用指示のうちの少なくとも１つを含む
ことを特徴とする請求項６に記載のサービングセルの支援管理方法。
【請求項９】
前記上り送信電力情報は、復調閾値を満たすＵＥの最大上り送信電力である
ことを特徴とする請求項８に記載のサービングセルの支援管理方法。
【請求項１０】
請求項１〜５のいずれか1項に記載の方法を実行するように構成される
ことを特徴とするネットワークデバイス。
【請求項１１】
請求項６〜９のいずれか1項に記載の方法を実行するように構成される
ことを特徴とする端末デバイス。
【国際調査報告】
2021502011.tif 000008
2021502011.tif 000009
2021502011.tif 000010
2021502011.tif 000011